(57)【要約】【課題】表示部の曇りを抑える十分な防曇効果を備えた携帯型電子機器を提供する。【解決手段】携帯型電子機器（リスト機器１）は、ケース（トップケース３０およびボトムケース３３）と、ケースに収容されている表示部７０と、ケースの開口部４０を塞いでいる風防板７１と、風防板と表示部との間の、表示部の外縁に沿って配置されている吸湿部材８８と、を含む。【選択図】図４
2018017655.tif 000002
【特許請求の範囲】
【請求項１】
ケースと、
前記ケースに収容されている表示部と、
前記ケースの開口部を塞いでいる風防板と、
前記風防板と前記表示部との間に、前記表示部の外縁に沿って配置されている吸湿部材と、
を含む、
携帯型電子機器。
【請求項２】
請求項１において、
前記吸湿部材は、リング状である、
携帯型電子機器。
【請求項３】
請求項１または請求項２において、
前記吸湿部材は、前記風防板側の面に、文字、記号、目盛、および模様の少なくとも何れかの表示がある、
携帯型電子機器。
【請求項４】
請求項３において、
前記吸湿部材は、前記風防板側の表面にベース層があり、
前記表示は、前記ベース層の前記風防板側の表面にある、
携帯型電子機器。
【請求項５】
請求項３または請求項４において、
前記表示および前記ベース層の少なくとも何れかは、インクジェット法によって形成されている、
携帯型電子機器。
【請求項６】
請求項１または請求項２において、
前記風防板と前記表示部との間に、前記表示部の外縁に沿って配置されているリング状の見切り板を含み、
前記吸湿部材は、前記見切り板よりも前記表示部側にある、
携帯型電子機器。
【請求項７】
請求項６において、
前記吸湿部材は、平面視で前記見切り板と重なるように配置されている、
携帯型電子機器。
【請求項８】
請求項６または請求項７において、
前記見切り板は、透光性を有する、
携帯型電子機器。
【請求項９】
請求項８において、
前記見切り板の前記表示部側の面に、文字、記号、目盛、および模様の少なくとも何れかの表示がある、
携帯型電子機器。
【請求項１０】
請求項９において、
前記見切り板は、前記表示部側の全面に、前記表示を覆うように印刷がされている、
携帯型電子機器。
【請求項１１】
請求項６ないし請求項１０の何れか一項において、
前記見切り板は、樹脂製である、
携帯型電子機器。
【発明の詳細な説明】
【技術分野】
【０００１】
本発明は、携帯型電子機器に関する。
【背景技術】
【０００２】
近年、センシング技術の向上により、携帯型電子機器の一例として、腕時計型の活動計が各社から多く商品化されてきている。例えば、特許文献１には、このような腕時計型の活動計として、バンド等によって手首等の部位（被検体）に装着され、デジタル表示の表示部を備え無線通信が可能な電子時計が開示されている。
【０００３】
上述のような腕時計型の活動計では、腕時計型の活動計の内部の湿気および外気温の影響などに起因して表示部や風防板の内面が曇ってしまい、表示の視認性が低下してしまうことが有る。その対策として、特許文献２には、ケースの裏蓋の内面に吸湿性を有するフィルムを接着することが開示されている。また、特許文献３には、ケース内の中枠を高吸水性樹脂を含有させたＡＢＳ樹脂製とすることが開示されている。
【先行技術文献】
【特許文献】
【０００４】
【特許文献１】特開２００５−９８９９０号公報
【特許文献２】特開昭５６−８４３４１号公報
【特許文献３】特開昭６２−１３０３７４号公報
【発明の概要】
【発明が解決しようとする課題】
【０００５】
しかしながら、腕時計型の活動計（携帯型電子機器の一例）では、様々な電子部品や基板などが高密度で収容されているため、上述したような吸湿手段では、吸湿部材の配置部位から、曇り現象が問題となる風防板までの距離が遠くなってしまったり、パス（通気流路）が長くなってしまったりするなどの理由により、十分な防曇効果を得ることができないという課題を有していた。
【課題を解決するための手段】
【０００６】
本発明は、上述の課題の少なくとも一部を解決するためになされたものであり、以下の形態または適用例として実現することが可能である。
【０００７】
［適用例１］本適用例に係る携帯型電子機器は、ケースと、前記ケースに収容されている表示部と、前記ケースの開口部を塞いでいる風防板と、前記風防板と前記表示部との間に、前記表示部の外縁に沿って配置されている吸湿部材と、を含む。
【０００８】
本適用例によれば、吸湿部材が、風防板と表示部との間、換言すれば曇り現象の生じる風防板の直近となる空間、即ち吸湿部材から風防板までの距離が短い位置に配置された吸湿部材により、風防板と表示部との間の空間の吸湿を、より効果的に行うことが可能となり、風防板に対する優れた防曇効果を発揮することができる。
【０００９】
［適用例２］上記適用例に記載の携帯型電子機器において、前記吸湿部材は、リング状であることが好ましい。
【００１０】
本適用例によれば、リング状の吸湿部材が表示部の外縁に沿って配置されていることから、表示部の視認性やデザイン性を損ねることなく吸湿部材を配置することができる。
【００１１】
［適用例３］上記適用例に記載の携帯型電子機器において、前記吸湿部材は、前記風防板側の面に、文字、記号、目盛、および模様の少なくとも何れかの表示があることが好ましい。
【００１２】
本適用例によれば、吸湿部材の風防板側の面に表示を設けることにより、機能的に有用な、文字、記号、目盛、および模様などを設けることができるとともに、例えば、色調を変化させるなどデザイン性を向上させることができる。
【００１３】
［適用例４］上記適用例に記載の携帯型電子機器において、前記吸湿部材は、前記風防板側の表面にベース層があり、前記表示は、前記ベース層の前記風防板側の表面にあることが好ましい。
【００１４】
本適用例によれば、ベース層を設けることにより、その表面に配置する表示の視認性を向上させたり、ベース層を色々な配色としたりするなど、デザイン性を向上させることができる。
【００１５】
［適用例５］上記適用例に記載の携帯型電子機器において、前記表示および前記ベース層の少なくとも何れかは、インクジェット法によって形成されていることが好ましい。
【００１６】
本適用例によれば、インクジェット法を用いることにより、表面に凹凸のある吸湿部材であっても、容易に表示やベース層を配置することができる。
【００１７】
［適用例６］上記適用例に記載の携帯型電子機器において、前記風防板と前記表示部との間に、前記表示部の外縁に沿って配置されているリング状の見切り板を含み、前記吸湿部材は、前記見切り板よりも前記表示部側にあることが好ましい。
【００１８】
本適用例によれば、見切り板よりも表示部側に吸湿部材が配置されるため、吸湿部材の風防板側から視認できる領域を少なくすることができる。したがって、吸湿性を低下させることなく、デザイン性を向上させることができる。
【００１９】
［適用例７］上記適用例に記載の携帯型電子機器において、前記吸湿部材は、平面視で前記見切り板と重なるように配置されていることが好ましい。
【００２０】
本適用例によれば、吸湿部材に見切り板を平面視で重ねて配置するため、配置位置を容易に決めることができる。
【００２１】
［適用例８］上記適用例に記載の携帯型電子機器において、前記見切り板は、透光性を有することが好ましい。
【００２２】
本適用例によれば、見切り板が透光性を有しているため、風防板側から見切り板を介して吸湿部材側を視認することができる。
【００２３】
［適用例９］上記適用例に記載の携帯型電子機器において、前記見切り板の前記ケース側の面に、文字、記号、目盛、および模様の少なくとも何れかの表示があることが好ましい。
【００２４】
本適用例によれば、裏側印刷によって表示を設けることにより、表示などが見切り板の表側に露出しないため、傷などが付き難い。また、機能的に有用な、文字、記号、目盛、および模様などを設けることができたり、色調を変化させたりできるなどデザイン性を向上させることができる。
【００２５】
［適用例１０］上記適用例に記載の携帯型電子機器において、前記見切り板は、前記表示部側の全面に、前記表示を覆うように印刷がされていることが好ましい。
【００２６】
本適用例によれば、表示を覆うように印刷がされていることにより、表示の視認性を向上させたり、表示を覆う全面印刷を色々な配色としたりするなど、デザイン性を向上させることができる。
【００２７】
［適用例１１］上記適用例に記載の携帯型電子機器において、前記見切り板は、樹脂製であることが好ましい。
【００２８】
本適用例によれば、例えば樹脂製の見切り板を紫外線などによって成形硬化することができる。このように、見切り板の成形を容易にすることができ、且つデザインの多様化にも容易に対応することができる。
【図面の簡単な説明】
【００２９】
【図１】携帯型電子機器の第１実施形態に係るリスト機器の表面側斜視図。
【図２】第１実施形態に係るリスト機器の平面図。
【図３】第１実施形態に係るリスト機器の概略構成を示す分解斜視図。
【図４】第１実施形態に係るリスト機器の概略構成を示す図２ＡのＡ−Ａ断面図。
【図５Ａ】図４の部分拡大図。
【図５Ｂ】リング状の吸湿部材の変形例を示し、図４に相当する部分拡大図。
【図６】吸湿部材の吸湿効果を示すグラフ。
【図７Ａ】第１実施形態に係るリング状の吸湿部材への表示例を示す部分平面図。
【図７Ｂ】リング状の吸湿部材への表示例を示す部分断面図。
【図７Ｃ】リング状の吸湿部材への表示の変形例を示す部分断面図。
【図８】第２実施形態に係るリスト機器の概略構成を示し、図２のＡ−Ａ断面に相当する部分断面図。
【図９Ａ】第２実施形態に係る見切り板と吸湿部材との構成を示す平面図。
【図９Ｂ】見切り板と吸湿部材との構成を示す正断面図。
【図１０Ａ】第２実施形態に係る見切り板への表示例１を示す部分断面図。
【図１０Ｂ】第２実施形態に係る見切り板への表示例２を示す部分断面図。
【図１１Ａ】見切り板と吸湿部材との構成の変形例を示す平面図。
【図１１Ｂ】見切り板と吸湿部材との構成の変形例を示す正断面図。
【発明を実施するための形態】
【００３０】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３１】
（第１実施形態）
先ず、図１、および図２を参照して、本発明による携帯型電子機器の第１実施形態に係るリスト機器の概要について説明する。図１は、携帯型電子機器の第１実施形態に係るリスト機器の表面側斜視図である。図２は、第１実施形態に係るリスト機器の平面図である。なお、本明細書では、第１実施形態および第２実施形態において、説明の便宜上、リスト機器の風防板側を表（表側）、風防板とは反対側（装着時にユーザーに接する側）を裏（裏側）として説明することがある。なお、第１実施形態に係るリスト機器は、ランナーズウォッチ、デュアスロンやトライアスロン等マルチスポーツ対応のランナーズウォッチ、及び衛星測位システム、例えば、ＧＰＳを搭載したＧＰＳウォッチ、等に広く適用できる。
【００３２】
図１および図２に示すように、携帯型（ウェアラブル型）の電子機器の一例としてのリスト機器１は、ユーザー（装着者）の所与の部位（例えば、手首）に装着され、ユーザーの位置情報や運動情報などを検出することができる。リスト機器１は、ユーザーに装着されて位置情報や運動情報などを検出する機器本体１０と、機器本体１０に取り付けられ機器本体１０をユーザーに装着するための第１のバンド部３２および第２のバンド部３７と、を有する。なお、リスト機器１には、ユーザーの位置情報や運動情報に加えて、例えば脈波情報などの生体情報を検出する機能や時刻情報などを取得する機能を設けることができる。
【００３３】
機器本体１０は、ユーザーへの装着側にケースとしてのボトムケース３３が配置され、ユーザーへの装着側と反対側には、表側に開口する開口部４０（図３参照）を有するケースとしてのトップケース３０が配置されている。ここで、ボトムケース３３とトップケース３０とによって、ケースが構成される。機器本体１０の表側（トップケース３０）に位置する開口部４０の外側には、ベゼル７５が設けられるとともに、このベゼル７５の内側にベゼル７５と並んで配置されて内部構造を保護する天板部分（外壁）としての風防板（本例ではガラス板）７１が設けられている。風防板７１は、トップケース３０の開口部４０を塞ぐように配置されている。機器本体１０の表側（トップケース３０）の側面には、複数の操作ボタン８０，８１が設けられている。なお、ベゼル７５には、表側から視認可能な表示を設けることができる。
【００３４】
また、機器本体１０は、風防板７１の直下に配置されている液晶ディスプレイ（ＬＣＤ）などで構成される表示部７０と、風防板７１の外縁部分の風防板７１と表示部７０との間に配置されている吸湿部材８８と、を有している。なお、吸湿部材８８には、表側から視認可能な表示を設けることができる。機器本体１０は、風防板７１を介して、表示部７０の表示や吸湿部材８８の表示をユーザーが閲覧可能な構成としてもよい。つまり本実施形態のリスト機器１では、検出した位置情報や運動情報、或いは時刻情報等の種々の情報を表示部７０に表示し、当該表示を機器本体１０のトップ側からユーザーに提示するものであってもよい。また、ボトムケース３３の両側には、第１のバンド部３２および第２のバンド部３７との接続部である一対のバンド装着部（不図示）が設けられている。
【００３５】
なお、機器本体１０の天板部分の風防板７１は、ガラス板に限らず、表示部７０を閲覧可能な透明部材であり、表示部７０を構成する液晶ディスプレイ（ＬＣＤ）などのトップケース３０とボトムケース３３との内部（図４に示す内部空間３６）に収容される構成を保護可能な程度の強度を有する部材であれば、透明のプラスチックなど、ガラス以外の材料とすることができる。
【００３６】
次に、図３、図４、および図５Ａを参照して、機器本体１０の断面構造について、その構成例を説明する。図３は、第１実施形態に係るリスト機器の概略構成を示す分解斜視図である。図４は、第１実施形態に係るリスト機器の概略構成を示す図２のＡ−Ａ断面図である。図５Ａは、第１実施形態に係るリスト機器の概略構成を示す、図４の部分拡大図である。
【００３７】
機器本体１０は、図３、図４および図５Ａに示すように、トップケース３０と、ボトムケース３３（図１参照）と、トップケース３０の開口部４０を塞ぐ風防板７１と、に囲まれた密閉空間である内部空間３６が設けられている。そして、この内部空間３６に、表示部７０や吸湿部材８８が配置されている。さらに、内部空間３６には、図４に示すように、リスト機器１を構成する要素部品である、例えば回路基板４５、ＧＰＳ（Global Positioning System）アンテナ９０、センサーの一例としての地磁気センサー５５、二次電池６０、および振動部９５などが収納されている。ただし、機器本体１０は、図４に示す構成に限定されず、例えば気圧センサーなどの他のセンサーや電子部品などを追加してもよい。
【００３８】
機器本体１０は、図５Ａに示すように、トップケース３０の内側に突出する突起部３４に表示部７０が載置されている。表示部７０が突起部３４に載置されることにより、トップケース３０と、表示部７０と風防板７１とに囲まれた空間４２が設けられる。そして、表示部７０の表側には、トップケース３０の第２壁部３１ｂに沿ってリング状の板部材である吸湿部材８８が載置されている。換言すれば、吸湿部材８８は、風防板７１と表示部７０との間の空間４２の内に、表示部７０の外縁に沿って配置されている。
【００３９】
このように、リング状の吸湿部材８８が、風防板７１と表示部７０との間、即ち曇り現象の生じる風防板７１の直近となる空間、換言すれば吸湿部材８８から風防板７１までの距離が短い位置に配置されることにより、風防板７１近傍の空間４２における吸湿を、より効果的に行うことが可能となり、風防板７１に対する優れた防曇効果を発揮することができる。また、リング状の吸湿部材８８が表示部７０の外縁に沿って配置されていることから、表示部７０の視認性やデザイン性を損ねることなく吸湿部材８８を配置することができる。
【００４０】
吸湿部材８８は、例えばポリアクリレート繊維を含む材料で構成することができる。吸湿部材８８は、例えば、厚みｔ＝２．０ｍｍ程度のポリアクリレート繊維を含む薄板をリング状に成形することにより形成することができる。このような吸湿部材８８は、空間４２内、および内部空間３６内の湿気（水分）を吸収することができ、空間４２内、および内部空間３６内の湿度を、結露の起き難い湿度まで降下させることができる。空間４２、および内部空間３６は、密閉空間であるため、結露の起き難い湿度の状態を維持することができる。
【００４１】
なお、吸湿部材８８は、図５Ａに示すような、平らなリング状に限らない。図５Ｂには、吸湿部材の変形例を示している。変形例の機器本体１０ａに係る吸湿部材８８ａは、図５Ｂに示すように、表面８８ａｆが表示部７０側の裏面８８ａｒに対して傾斜する傾斜面となる断面形状としてもよい。本変形例では、表面８８ａｆがるングの中心側（リングの内側）に向かう傾斜面となっている。換言すれば、吸湿部材８８ａは、リングの外周側に向かって厚みが大きくなるリング状に構成されている。
【００４２】
このような吸湿部材８８の吸湿効果を検証した結果を図６のグラフに示す。図６は、吸湿部材の吸湿効果を示すグラフである。具体的に図６には、容積が約１７ｍｌの密閉空間の内に、体積が約４５ｍｍ3のポリアクリレート繊維を含み吸湿性を有する薄板を投入して、空間内の湿度の変化を時系列にプロットした結果を示している。なお、容積が約１７ｍｌの密閉空間は、本実施形態のトップケース３０と、ボトムケース３３と、風防板７１と、に囲まれた内部空間３６の容積と略同じ容積を設定した。図６のグラフに示されているように、吸湿性を有する薄板を投入した後は、時間経過と共に徐々に湿度が降下し、投入後３日で湿度２０％となり、その後はこの湿度が維持されていることが分かる。結露は、湿度が３０％以下になると起き難いとされ、この検証結果に示されているように、２０％程度の湿度が維持できれば、結露の発生を十分に抑えることができる。
ここで、グラフの実線Ｌ１は、密閉空間の内に吸湿性を有する薄板がない状態の湿度変化（一定で変化なし）を示し、点線Ｌ２は、密閉空間の内に吸湿性を有する薄板を投入した状態での湿度変化を示している。
【００４３】
吸湿部材８８の風防板７１側には、図７Ａに示すように、例えば文字７７ａや記号７７ｂなどの表示７７を設けることができる。ここで、図７Ａおよび図７Ｂを参照して吸湿部材８８に配設される表示７７について説明する。図７Ａは、第１実施形態に係るリスト機器の吸湿部材への表示例を示し、吸湿部材の一部を表側から見た部分平面図である。図７Ｂは、吸湿部材を示す図７ＡのＣ−Ｃ断面図である。
【００４４】
図７Ａおよび図７Ｂに示すように、表示部７０に裏面８８ｒを向けて載置された吸湿部材８８の風防板７１側の表面８８ｆには、表示７７が設けられている。表示７７には、例えば文字７７ａ、記号（絵文字）７７ｂ、および不図示の目盛などを含むことができる。なお、表示７７には、文字７７ａ、記号（絵文字）７７ｂ、および目盛（不図示）の少なくとも何れかが設けられていればよい。また、表示７７は、色調を変えたり模様を形成したりすることとしてもよい。
【００４５】
このように、吸湿部材８８の風防板７１側の表面８８ｆに表示７７を設けることにより、機能的に有用な、文字７７ａ、記号（絵文字）７７ｂ、および不図示の目盛や模様などを設けることができるとともに、例えば、色調を変化させるなどデザイン性を向上させることができる。
【００４６】
表示７７は、例えばインクジェット法などを用いて形成することができる。表示７７は、インクを吐出させた塗布部９１と、吸湿部材８８の表面８８ｆの露出する部分９２とを含む表示パターン９３によって表現することができる。なお、インクジェット法を用いて表示７７を形成すれば、表面に凹凸のある吸湿部材８８であっても、容易に表示を配置することができる。
【００４７】
なお、表示７７には、図７Ｃに示す表示の変形例のように、吸湿部材８８の風防板７１側の表面８８ｆにベース層９４を設けることができる。図７Ｃは、リング状の吸湿部材への表示の変形例を示す部分断面図である。
【００４８】
図７Ｃに示すように、吸湿部材８８の風防板７１側の表面８８ｆには、ベース層９４が設けられている。そして、ベース層９４の表示部７０と反対側の面上に、表示７７が設けられている。表示７７の構成は、上述と同様であるのでここでの詳細な説明は省略する。なお、ベース層９４は、インクジェット法などを用いて形成することが、上述と同様に好ましい。
【００４９】
このように、吸湿部材８８の風防板７１側の表面８８ｆにベース層９４を設けることにより、その表面に配置する表示７７の視認性を向上させたり、ベース層９４を色々な配色としたりするなど、デザイン性やファッション性を向上させることができる。また、吸湿部材８８の表面８８ｆにベース層９４を設けることにより、吸湿部材８８の表面８８ｆの凹凸を無くし、表面８８ｆを平滑面様にすることができ、高級感を感じられる表示パターン９３とすることもできる。
【００５０】
図４および図５Ａに戻り、表示部７０を構成する液晶ディスプレイ（ＬＣＤ）では、種々の検出モードに応じて、例えば、ＧＰＳや地磁気センサーを用いた位置情報、移動量や角速度センサーや加速度センサーなどを用いた運動量などの運動情報、脈波センサーなどを用いた脈拍数などの生体情報、もしくは現在時刻などの時刻情報などが表示される。そして、この表示は、風防板７１を介してユーザーが閲覧（視認）することができる。
【００５１】
また、機器本体１０は、トップケース３０の外縁側に位置し、表側に向かって開口する周状の凹部３１を有している。凹部３１の外周側および内周側には壁部が構成され、外周側に設けられた第１壁部３１ａ、および内周側に設けられた第２壁部３１ｂを含んでいる。凹部３１には、ベゼル７５の少なくとも一部が挿入され、固着されている。このように、凹部３１にベゼル７５を挿入することにより、トップケース３０に対するベゼル７５の位置合わせを容易に行うことができる。
【００５２】
ベゼル７５は、風防板７１側に張り出す庇部７４ａを有している。なお、庇部７４ａは、トップケース３０内周側の第２壁部３１ｂの頂部に当接されてもよい。トップケース３０の第２壁部３１ｂの頂部に庇部７４ａが当接されることにより、庇部７４ａの変形を現減少させることができる。なお、ベゼル７５は、例えばステンレス材や真鍮（黄銅）材の表面にメッキ処理を施した材料で形成することができる。
【００５３】
ベゼル７５の庇部７４ａの内周面（内側面）側には、風防板７１がベゼル７５と並ぶように配置されている。風防板７１は、ベゼル７５の庇部７４ａの内側面に当接するように配置されている。風防板７１は、ベゼル７５によって、風防板７１が機器本体１０（トップケース３０）から脱落しないように保持される。なお、本実施形態では、風防板７１と吸湿部材８８との間に隙間を設ける構成を示しているが、風防板７１と吸湿部材８８との間に隙間を設けずに、吸湿部材８８に接触する状態で風防板７１が配置されてもよい。
【００５４】
以上述べた第１実施形態に係るリスト機器１によれば、吸湿部材８８が、風防板７１と表示部７０との間、即ち曇り現象の生じる風防板７１の直近となる空間に配置される。換言すれば、吸湿部材８８から風防板７１までの距離が短い位置に吸湿部材８８が配置されることにより、風防板７１近傍の空間４２における吸湿を、より効果的に行うことが可能となり、風防板７１に対する優れた防曇効果を発揮することができる。
【００５５】
また、文字７７ａや記号（絵文字）７７ｂなどの表示７７を風防板７１側の表面８８ｆに設けたリング状の吸湿部材８８が、表示部７０の外縁に沿って配置されていることから、表示部７０の視認性、およびデザイン性やファッション性に優れたリスト機器１とすることができる。
【００５６】
（第２実施形態）
次に、図８、図９Ａ、および図９Ｂを参照して、本発明の携帯型（ウェアラブル型）の電子機器の第２実施形態に係るリスト機器の構成について説明する。図８は、第２実施形態に係るリスト機器の機器本体の概略構成を示し、図２のＡ−Ａ断面に相当する部分断面図である。図９Ａは、第２実施形態に係る見切り板と吸湿部材との構成を示す平面図である。図９Ｂは、見切り板と吸湿部材との構成を示す正断面図である。なお、以下の説明では、上述した第１実施形態と同様な構成について、同符号を付し、その説明を省略することがある。
【００５７】
携帯型（ウェアラブル型）の電子機器の第２実施形態に係るリスト機器の機器本体１０ｂは、上述の第１実施形態の機器本体１０と比し、図５Ａに示した表示部７０と風防板７１との間に配置されている吸湿部材８８に係る構成が異なっており、他の構成は同様である。
【００５８】
機器本体１０ｂは、図８に示すように、トップケース３０と、ボトムケース３３（図１参照）と、トップケース３０の開口部４０を塞ぐ風防板７１と、に囲まれた密閉空間である内部空間３６が設けられている。そして、この内部空間３６に、表示部７０、見切り板７２、および吸湿部材８８が配置されている。さらに、内部空間３６には、図４に示すように、リスト機器１を構成する要素部品が収納されているが、第１実施形態と同様であるので、ここでの説明は省略する。
【００５９】
また、トップケース３０の内側に突出する突起部３４には、表示部７０が載置されている。表示部７０を構成する液晶ディスプレイ（ＬＣＤ）では、種々の検出モードに応じて、例えば、位置情報、移動量や運動量などの運動情報、脈拍数などの生体情報、もしくは現在時刻などの時刻情報などが表示される。そして、この表示は、風防板７１を介してユーザーが閲覧（視認）することができる。
【００６０】
また、表示部７０が突起部３４に載置されることにより、トップケース３０と、表示部７０と風防板７１とに囲まれた空間４２が形成される。そして、表示部７０の表側には、トップケース３０の第２壁部３１ｂに沿って、図９Ａおよび図９Ｂに示すようなリング状の板部材である吸湿部材８８が載置されている。換言すれば、吸湿部材８８は、風防板７１と表示部７０との間の空間４２の内に、表示部７０の外縁に沿って配置されている。そして、吸湿部材８８の風防板７１側（表側）に、図９Ｂに示すように、吸湿部材８８と重なるように配置されたリング状の見切り板７２が載置されている。換言すれば、見切り板７２は、風防板７１と表示部７０との間の空間４２の内に、表示部７０の外縁に沿って配置されている。
【００６１】
このように、本実施形態では、吸湿部材８８は、見切り板７２よりも表示部７０側に配置されている。吸湿部材８８に見切り板７２を平面視で重ねて配置することにより、見切り板７２の配置位置を容易に決めることができる。また、見切り板７２よりも表示部７０側に吸湿部材８８が配置されるため、吸湿部材８８の風防板７１側から視認できる領域を少なくすることができる。したがって、吸湿性を低下させることなく、見切り板７２および吸湿部材８８の配置されている領域のデザイン性を向上させることができる。
【００６２】
吸湿部材８８は、第１実施形態と同様に、例えばポリアクリレート繊維を含む材料で構成することができる。このような吸湿部材８８は、空間４２内、および内部空間３６内の湿気（水分）を吸収することができ、空間４２内、および内部空間３６内の湿度を、結露の起き難い湿度まで降下させることができる。そして、空間４２、および内部空間３６は、密閉空間であるため、結露の起き難い湿度の状態を維持することができる。
【００６３】
また、見切り板７２よりも表示部７０側に吸湿部材８８が配置され、見切り板７２と吸湿部材８８とが重なるように配置されるため、吸湿部材８８を風防板７１側から視認できる領域が少なくなる。したがって、吸湿性を維持しつつ、ファッション性を高めることが可能となる。
【００６４】
なお、吸湿部材８８は、第１実施形態の変形例（図５Ｂ参照）で示したように、風防板７１側の表面が傾斜する傾斜面となる断面形状であってもよい。例えば、表面がリングの中心側に向かう傾斜面、換言すれば、リングの外周側に向かって厚みが大きくなるリング状の吸湿部材であってもよい。
【００６５】
見切り板７２は、例えばアルミニウム、ステンレス、真鍮（黄銅）などを主材とする金属を用いたり、例えばウレタンアクリレート、アクリル樹脂アクリレート、エポキシアクリレートなどの紫外線硬化型の透明な樹脂材（樹脂製の部材）を用いたりすることができる。ここで、見切り板７２を金属製とすれば、表示部７０の周囲の高級感を感じさせたり、強度を上げたりすることができる。また、見切り板７２を樹脂製とすれば、例えば紫外線などによる成形硬化によって容易に成形することができると共に、デザインの多様化にも容易に対応することができる。
【００６６】
見切り板７２の風防板７１側には、前述の第１実施形態にて参照した図７Ａに示されていたような、例えば文字７７ａや記号７７ｂなどの表示７７を設けることができる。ここで、図７Ａ、図１０Ａ、および図１０Ｂを参照して見切り板７２に配設される表示７７について説明する。図１０Ａは、第２実施形態に係る見切り板への表示例１を示す部分断面図である。図１０Ｂは、第２実施形態に係る見切り板への表示例２を示す部分断面図である。ここで、図１０Ａに示す表示例１は、見切り板７２の風防板７１側に表示７７を設ける構成を例示している。また、図１０Ｂに示す表示例２は、見切り板７２を透明の樹脂材で構成した場合であって、見切り板７２の吸湿部材８８側に表示７７を設ける構成を例示している。
【００６７】
先ず、図１０Ａを参照して、見切り板７２の風防板７１側に表示７７（図７Ａ参照）を設ける構成について説明する。吸湿部材８８は、表示部７０に裏面８８ｒを向けて載置されている。そして、吸湿部材８８の表面８８ｆ側に、見切り板７２が配置されている。見切り板７２の風防板７１（図８参照）側の面である表面７２ｆには、表示７７が設けられている。表示７７には、例えば文字７７ａ、記号（絵文字）７７ｂ、および不図示の目盛などを含むことができる。なお、表示７７には、文字７７ａ、記号（絵文字）７７ｂ、および目盛（不図示）の少なくとも一つが設けられていればよい。また、表示７７は、色調を変えたり模様を形成したりすることとしてもよい。
【００６８】
このように、見切り板７２の風防板７１側の表面７２ｆに表示７７を設けることにより、機能的に有用な、文字７７ａ、記号（絵文字）７７ｂ、および不図示の目盛や模様などを設けることができるとともに、例えば、色調を変化させるなど見切り板７２のデザイン性を向上させることができる。
【００６９】
表示７７は、例えばスクリーン印刷装置やインクジェット法などを用いて形成することができる。表示７７は、インクを塗布させた塗布部９１と、見切り板７２の表面７２ｆの露出する部分９２とを含む表示パターン９３によって表現することができる。なお、表示７７には、見切り板７２の表面７２ｆにベース層（不図示）を設けることができる。この場合、ベース層を下地として、その表面に表示７７を配置する。
【００７０】
次に、図１０Ｂを参照して、透明の樹脂材で見切り板７２ａを構成した場合であって、見切り板７２ａの表示部７０側、即ち見切り板７２ａの吸湿部材８８側に、表示７７を設ける構成について説明する。吸湿部材８８は、表示部７０に裏面８８ｒを向けて載置されている。そして、吸湿部材８８の表面８８ｆ側に、見切り板７２ａが配置されている。見切り板７２ａは、光透過性を有した透明な樹脂、例えばウレタンアクリレート、アクリル樹脂アクリレート、エポキシアクリレートなどの紫外線硬化型の樹脂材（樹脂製の部材）によって形成されている。
【００７１】
このように、見切り板７２ａを、例えば紫外線硬化型の樹脂製とすることによって、見切り板７２ａの成形を容易にすることができ、且つデザインの多様化にも容易に対応することができる。
【００７２】
見切り板７２ａの表示部７０側の面である裏面７２ａｒには、図７Ａに示されているような表示７７が設けられている。表示７７には、例えば文字７７ａ、記号（絵文字）７７ｂ、および不図示の目盛などを含むことができる。なお、表示７７には、文字７７ａ、記号（絵文字）７７ｂ、および目盛（不図示）の少なくとも何れかが設けられていればよい。また、表示７７は、色調を変えたり模様を形成したりすることとしてもよい。見切り板７２ａは、前述したように透光性を有した樹脂製であるので、裏面７２ａｒ側に表示７７を設けても、見切り板７２ａの表面７２ａｆ側（風防板７１側）から表示７７を視認することができる。
【００７３】
表示７７は、例えばスクリーン印刷装置やインクジェットプリンターなどの裏面印刷（描画）法などを用いて形成される文字７７ａや記号７７ｂを表す表示パターン９３によって構成することができる。なお、表示７７（表示パターン９３）は、エッチング法を用いて形成することも可能である。表示パターン９３は、例えばインクなどで形成する塗布部９１と、これらの形成されない裏面７２ａｒが露出する部分９２と、を含む。塗布部９１は、インクの色や色調を変えたりすることによって模様や色デザインを表現することができる。
【００７４】
このように、見切り板７２ａの裏面７２ａｒに、裏面印刷によって表示７７を設けることにより、表示７７などが見切り板７２ａの表面７２ａｆ側に露出しないため、表示７７などに傷などが付き難い。また、機能的に有用な、文字７７ａや記号７７ｂ、もしくは模様などを設けることができたり、色調を変化させたりできるなどデザイン性を向上させることができる。
【００７５】
なお、見切り板７２ａの裏面７２ａｒ側の全面には、表示７７を覆うようにベース層９４が塗布（印刷）されていてもよい。このように、表示７７を覆うようにベース層９４が塗布（印刷）されていることにより、表示７７の視認性を向上させたり、裏面７２ａｒ側の全面に亘り表示７７を覆う塗布（印刷）を色々な配色としたりするなど、デザイン性を向上させることができる。
【００７６】
また、表示７７は、見切り板７２ａ側でなく、吸湿部材８８の風防板７１側の表面８８ｆ側に設けられてもよい。また、表示７７は、吸湿部材８８の表面８８ｆにベース層９４が設けられ、その表面に表示パターン９３が設けられてもよい。この場合も、見切り板７２ａが透光性を有した樹脂製であるので、見切り板７２ａの表面７２ａｆ側（風防板７１側）から表示７７を視認することができる。
【００７７】
以上述べた第２実施形態に係るリスト機器１（機器本体１０ｂ）によれば、見切り板７２，７２ａと重なって配置された吸湿部材８８が、風防板７１と表示部７０との間、即ち曇り現象の生じる風防板７１の直近となる空間に配置される。これにより、第１実施形態と同様に、風防板７１近傍の空間４２における吸湿を、より効果的に行うことが可能となり、風防板７１に対する優れた防曇効果を発揮することができる。
【００７８】
また、文字７７ａや記号（絵文字）７７ｂなどの表示７７を見切り板７２，７２ａに配置することにより、表示部７０の視認性、およびデザイン性やファッション性に優れたリスト機器１（機器本体１０ｂ）とすることができる。
【００７９】
また、第２実施形態で説明した吸湿部材８８と重なるようにリング状の見切り板７２が載置された構成では、リング状の見切り板７２の表示部７０側に配置される吸湿部材が、複数に分かれて配置されている構成であってもよい。
【００８０】
以下、吸湿部材８８の変形例について、図１１Ａおよび図１１Ｂを参照して説明する。図１１Ａは、見切り板と吸湿部材との構成の変形例を示す平面図であり、図１１Ｂは、見切り板と吸湿部材との構成の変形例を示す正断面図である。
【００８１】
図１１Ａおよび図１１Ｂに示すように、変形例に係る見切り板７２と重なって配置されている吸湿部材８８は、第１の吸湿部材８８ａと、第２の吸湿部材８８ｂとに分離された２ピース構造とされている。第１の吸湿部材８８ａおよび第２の吸湿部材８８ｂは、第２実施形態と同様な円周に沿ったリングの一部が分離されている。なお、吸湿部材８８は、２ピース構造に限らず、３ピース以上の幾つで構成されていてもよい。このように、第１の吸湿部材８８ａおよび第２の吸湿部材８８ｂで例示できる複数の吸湿部材を配置しても、第２実施形態と同様の効果を奏することができる。
【００８２】
また、上述では、ユーザー（装着者）の所与の部位に装着される携帯型電子機器として、ユーザーの手首に装着されるリスト機器を例示して説明したが、次のような装着例を例示することができる。携帯型電子機器としては、例えば首に掛けるネックレス様の構成、胴体や足首などに装着する構成、もしくは携帯型情報端末のようにユーザーがポケットやバッグの中に保持する構成などであってもよい。
【００８３】
また、衛星測位システムとしてＧＰＳ（Global Positioning System）を用いて説明したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【符号の説明】
【００８４】
１…携帯型電子機器としてのリスト機器、１０…機器本体、３０…トップケース、３１…凹部、３１ａ…第１壁部、３１ｂ…第２壁部、３２…第１のバンド部、３３…ボトムケース、３４…突起部、３６…内部空間、３７…第２のバンド部、４０…開口部、４２…空間、７０…表示部、７１…風防板（ガラス板）、７２…見切り板、７４ａ…庇部、７５…ベゼル、７７…表示、７７ａ…文字、７７ｂ…記号（絵文字）、８０，８１…操作ボタン、８８，８８ａ…吸湿部材、８８ｆ，８８ａｆ…吸湿部材の表面、８８ｒ，８８ａｒ…吸湿部材の裏面、９１…塗布部、９２…露出する部分、９３…表示パターン、９４…ベース層。
【図１】
2018017655.tif 000003
【図２】
2018017655.tif 000004
【図３】
2018017655.tif 000005
【図４】
2018017655.tif 000006
【図５Ａ】
2018017655.tif 000007
【図５Ｂ】
2018017655.tif 000008
【図６】
2018017655.tif 000009
【図７Ａ】
2018017655.tif 000010
【図７Ｂ】
2018017655.tif 000011
【図７Ｃ】
2018017655.tif 000012
【図８】
2018017655.tif 000013
【図９Ａ】
2018017655.tif 000014
【図９Ｂ】
2018017655.tif 000015
【図１０Ａ】
2018017655.tif 000016
【図１０Ｂ】
2018017655.tif 000017
【図１１Ａ】
2018017655.tif 000018
【図１１Ｂ】
2018017655.tif 000019